(57)【要約】【課題】  追記型ディスクの使用に必要なアップデートされた情報を読み取るためのアクセス時間をさらに短縮できるデータ記録装置及びその方法を提供する。【解決手段】  追記型ディスクにデータを記録する装置、記録方法、データ再生装置、再生方法及びその追記型ディスクが開示される。本発明による追記型ディスクは、アップデートされる所定類型の情報が記録される複数個のアップデート領域と、複数個のアップデート領域のうち、最終的にアップデートされた情報が記録された最終アップデート領域を指し示すためのメインアクセス情報が記録される少なくとも１つのメインアクセス情報領域と、最終的にアップデートされた情報が最終アップデート領域のどの位置に記録されているかを表すための補助アクセス情報が記録される少なくとも１つの補助アクセス情報領域とを備えることを特徴とする。本発明によれば、追記型ディスクの使用に必要な所定類型の情報を読み取るためのアクセス時間をさらに短縮できる。【選択図】      図１１
2008171550.tif 000002
【特許請求の範囲】
【請求項１】
所定の順序によって使われる複数のアップデート領域、及び少なくとも１つのアクセス情報領域を具備した追記型ディスクへのデータ記録方法であって、
前記複数のアップデート領域のうち１つの領域に最終的にアップデートされた所定の種類の情報を記録する段階と、
前記複数のアップデート領域の位置情報を含むアクセス情報を前記アクセス情報領域に記録ブロック単位で記録することにより、前記アクセス情報が記録された記録ブロックの数を利用し、前記複数のアップデート領域のうち、最終的にアップデートされた所定の種類の情報が記録された最終アップデート領域を示す段階とを含み、
前記アクセス情報は、最終的にアップデートされた情報が記録されたアップデート情報が変更された場合にアップデートされる、
ことを特徴とする方法。
【請求項２】
前記最終アップデート領域を示す段階は、
前記複数のアップデート領域のうち１つのアップデート領域に前記最後にアップデートされた所定の種類の情報が最初に記録されるときにのみ、前記アクセス情報を記録する、
ことを特徴とする請求項１記載の方法。
【請求項３】
前記最終的にアップデートされる所定の種類の情報は、前記複数のアップデート領域の位置情報を含む臨時ディスク管理情報であり、前記臨時ディスク管理情報は、前記アクセス情報として前記アクセス情報領域に記録される、
ことを特徴とする請求項１記載の方法。
【発明の詳細な説明】
【技術分野】
【０００１】
本発明は、追記型ディスクに係り、さらに詳細には、追記型ディスクの使用のために必要な情報にさらに早くアクセスできる追記型ディスクへのデータ記録装置、記録方法、再生装置、再生方法、及びその追記型ディスクに関する。
【背景技術】
【０００２】
書き換え型ディスクの場合、すでに情報が記録された部分に新しい情報を上書きして記録が可能である。しかし、追記型ディスクの場合には、情報を一度記録すれば、再び消して使えないために、すでに記録された情報をアップデートするためには、新しい位置を割り当てて記録しなければならない。
【０００３】
実際、アップデートされる情報は、最終的にアップデートされた情報だけが有意味である場合がほとんどである。従って、アップデート領域がデータ領域に割り当てられ、データ記録及び／または再生装置は、最後にアップデートされた情報を読み取るために、アップデートされた情報が記録された領域を探索して最後にアップデートされた情報を捜し出す。ここで、探索しなければならない領域に多くの情報が記録されているならば、所望の情報を得るためには、多くの時間がかかってしまう。
【０００４】
一方、記録及び／または再生装置により、欠陥管理が行われる追記型ディスクの場合、追記型ディスクの使用中に発生した欠陥についての欠陥管理のための情報と、追記型ディスクの記録状態などを表す情報とを記録するための領域が設けられる。追記型媒体の特性上、欠陥管理に関する情報などのアップデートが要求されれば、書き換え可能ディスクとは異なり、アップデートされた情報を既存情報が記録された位置に上書きして記録できないために、データが記録されていない空き位置にアップデートされた情報を記録しなければならないので、比較的広いアップデート領域を必要とする。一般的に、アップデート領域は、リードイン領域やリードアウト領域に割り当てられるが、時にはそのアップデート回数を増やすために、ユーザの選択によってデータ領域にも割り当てられうる。
【０００５】
追記型ディスクの使用のために必要な最終的なアップデート情報がデータ領域に割り当てられたアップデート領域に記録されており、その最終的なアップデート情報に、データ領域にアップデート領域が割り当てられたという情報と、そのアップデート領域の位置情報とが含まれている場合、データ記録及び／または再生装置は、リードイン領域またはリードアウト領域に設けられたアップデート領域をいずれも探索しても最後にアップデートされた情報を得られず、最後にアップデートされた情報がどこに記録されているかが分からないという問題がある。
【０００６】
さらに、記録及び／または再生装置がデータ領域に割り当てられたアップデート領域に最終的なアップデート情報が記録されているということが分かったとしても、そのアップデート領域の大きさが大きいならば、そのアップデート領域に記録された最終的なアップデート情報を探索するのに多くの時間がかかりうることもある。
【発明の開示】
【発明が解決しようとする課題】
【０００７】
従って、本発明が解決しようとする技術的課題は、追記型ディスクの使用のために必要なアップデートされた情報を読み取るためのアクセス時間をさらに短縮できるデータ構造でもって情報が記録された追記型ディスクを提供するところにある。
【０００８】
本発明が解決しようとする他の技術的課題は、追記型ディスクの使用のために必要なアップデートされた情報を読み取るためのアクセス時間をさらに短縮できるデータ記録装置及びその方法を提供するところにある。
【０００９】
本発明が解決しようとするさらに他の技術的課題は、追記型ディスクの使用のために必要なアップデートされた情報を読み取るためのアクセス時間をさらに短縮できるデータ再生装置及びその方法を提供するところにある。
【課題を解決するための手段】
【００１０】
前記課題をなすために、本発明の一側面による追記型ディスクは、アップデートされる所定類型の情報が記録される複数個のアップデート領域と、前記複数個のアップデート領域のうち、最終的にアップデートされた情報が記録された最終アップデート領域を指し示すためのメインアクセス情報が記録される少なくとも１つのメインアクセス情報領域と、前記最終的にアップデートされた情報が前記最終アップデート領域のどの位置に記録されているかを表すための補助アクセス情報が記録される少なくとも１つの補助アクセス情報領域とを備えることを特徴とする。
【００１１】
前記課題をなすために、本発明の他の側面による追記型ディスクは、アップデートされる所定類型の情報が記録される複数個のアップデート領域と、前記複数個のアップデート領域のうち、最終的にアップデートされた情報が記録された最終アップデート領域を指し示すアクセス情報が記録される少なくとも１つのアクセス情報領域とを備え、前記アクセス情報は、前記各アップデート領域の位置情報、前記複数のアップデート領域のうち、最終的にアップデートされた情報が記録された最終アップデート領域を指し示す第１フラッグ情報、及び前記最終的にアップデートされた情報が前記最終アップデート領域のどの位置に記録されているかを表す第２フラッグ情報を含むことを特徴とする。
【００１２】
前記課題をなすために、本発明のさらに他の側面による追記型ディスクは、所定順序によって使われ、アップデートされる所定類型の情報が記録される複数個のアップデート領域と、前記複数個のアップデート領域の位置情報を含むアクセス情報が記録ブロック単位で記録される少なくとも１つのアクセス情報領域とを備え、前記アクセス情報が記録された記録ブロックの個数を利用し、前記複数のアップデート領域のうち、最終的にアップデートされた前記所定類型の情報が記録された最終アップデート領域を指し示すことを特徴とする。
【００１３】
前記他の課題をなすために、本発明の一側面によるデータ記録装置は、追記型ディスクに／から情報を記録したり読み出す記録／読み出し部と、前記追記型ディスクに設けられた複数のアップデート領域のうち一つに最終的にアップデートされた所定類型の情報を記録し、前記最終的にアップデートされた情報が記録された最終アップデート領域を指し示すためにメインアクセス情報を前記ディスクに少なくとも一つ設けられたメインアクセス情報領域に記録し、前記最終的にアップデートされた情報が前記最終アップデート領域のどの位置に記録されているかを表すために補助アクセス情報を前記ディスクに少なくとも一つ設けられた補助アクセス情報領域に記録するように、前記記録／読み出し部を制御する制御部とを備えることを特徴とする。
【００１４】
前記他の課題をなすために、本発明の他の側面によるデータ記録装置は、追記型ディスクに／から情報を記録したり読み出す記録／読み出し部と、前記ディスクに設けられた複数のアップデート領域のうち一つに最終的にアップデートされた所定類型の情報を記録し、前記最終的にアップデートされた情報が記録された最終アップデート領域を指し示すアクセス情報を前記ディスクに少なくとも一つ設けられたアクセス情報領域に記録するように、前記記録／読み出し部を制御する制御部とを備え、前記アクセス情報は、前記各アップデート領域の位置情報、前記最終アップデート領域を指し示す第１フラッグ情報、及び前記最終的にアップデートされた情報が前記最終アップデート領域のどの位置に記録されているかを表す第２フラッグ情報を含むことを特徴とする。
【００１５】
前記他の課題をなすために、本発明の他の側面によるデータ記録装置は、所定順序によって使われる複数のアップデート領域、及び少なくとも１つのアクセス情報領域を具備した追記型ディスクへのデータ記録装置において、前記ディスクに／から情報を記録したり読み出す記録／読み出し部と、前記複数のアップデート領域のうち１つの領域にアップデートされた所定類型の情報を記録し、前記複数のアップデート領域の位置情報を含むアクセス情報を前記アクセス情報領域に記録ブロック単位で記録するように、前記記録／読み出し部を制御し、前記アクセス情報が記録された記録ブロックの個数を利用し、前記複数のアップデート領域のうち、最終的にアップデートされた前記所定類型の情報が記録された最終アップデート領域を指し示す制御部とを備えることを特徴とする。
【００１６】
前記他の課題をなすために、本発明の一側面によるデータ記録方法は、追記型ディスクに設けられた複数のアップデート領域のうち一つに最終的にアップデートされた所定類型の情報を記録する段階と、前記最終的にアップデートされた情報が記録された最終アップデート領域を指し示すためにメインアクセス情報を前記ディスクに少なくとも一つ設けられたメインアクセス情報領域に記録する段階と、前記最終的にアップデートされた情報が前記最終アップデート領域のどの位置に記録されているかを表すために補助アクセス情報を前記ディスクに少なくとも一つ設けられた補助アクセス情報領域に記録する段階とを含むことを特徴とする。
【００１７】
前記他の課題をなすために、本発明の他の側面によるデータ記録方法は、追記型ディスクに設けられた複数のアップデート領域のうち一つに最終的にアップデートされた所定類型の情報を記録する段階と、前記最終的にアップデートされた情報が記録された最終アップデート領域を指し示すアクセス情報を前記ディスクに少なくとも一つ設けられたアクセス情報領域に記録する段階とを含み、前記アクセス情報は、前記各アップデート領域の位置情報、前記最終アップデート領域を指し示す第１フラッグ情報、及び前記最終的にアップデートされた情報が前記最終アップデート領域のどの位置に記録されているかを表す第２フラッグ情報を含むことを特徴とする。
【００１８】
前記さらに他の課題をなすために、本発明の一側面によるデータ再生装置は、追記型ディスクに記録されたデータを読み出す読み出し部と、前記読み出し部を制御し、前記追記型ディスクに少なくとも一つ設けられたメインアクセス情報領域から前記追記型ディスクに設けられた複数個のアップデート領域のうち、最終的にアップデートされた所定類型の情報が記録された最終アップデート領域に関する情報を得て、前記最終アップデート領域に備えられた補助アクセス情報領域から前記所定類型の情報が記録された、前記最終アップデート領域の位置情報を得て、前記所定類型の情報を得る制御部とを備えることを特徴とする。
【００１９】
前記さらに他の課題をなすために、本発明の他の側面によるデータ再生装置は、所定順序によって使われた複数のアップデート領域、及び少なくとも１つのアクセス情報領域を具備した追記型ディスクの再生装置において、前記追記型ディスクに記録されたデータを読み出す読み出し部と、前記アクセス情報領域にアクセスしてデータを読み出すように前記読み出し部を制御し、アクセス情報が記録された記録ブロックの個数を決定し、前記記録ブロックの個数に基づき、前記複数のアップデート領域のうち、最終的にアップデートされた所定類型の情報が記録された最終アップデート領域を決定し、前記アクセス情報領域に最後に記録された記録ブロックから最終的にアップデートされたアクセス情報を得て、前記最終的にアップデートされたアクセス情報から前記最終アップデート領域の位置情報を得た後、前記最終アップデート領域に記録された、前記最終的にアップデートされた所定類型の情報を読み出すように前記読み出し部を制御する制御部とを備えることを特徴とする。
【００２０】
前記さらに他の課題をなすために、本発明の一側面によるデータ再生方法は、所定順序によって使われた複数のアップデート領域、及び少なくとも１つのアクセス情報領域を具備した追記型ディスクの再生方法において、前記アクセス情報領域にアクセスしてアクセス情報が記録された記録ブロックの個数に基づき、前記複数のアップデート領域のうち、最終的にアップデートされた所定類型の情報が記録された最終アップデート領域を決定する段階と、前記アクセス情報領域に最後に記録された記録ブロックから最終的にアップデートされたアクセス情報を得る段階と、前記最終的にアップデートされたアクセス情報から前記最終アップデート領域の位置情報を得る段階と、前記最終アップデート領域に記録された、前記最終的にアップデートされた所定類型の情報を得る段階とを含むことを特徴とする。
【発明の効果】
【００２１】
本発明の実施例により、追記型ディスクの使用に必要な所定類型の情報を読み取るためのアクセス時間をさらに短縮できる。特に、追記型ディスクの使用のために必要なアップデートされた情報を記録するためのアップデート領域が複数個存在する場合、記録装置または再生装置は、複数のアップデート領域のうち、最終的にアップデートされた情報が記録されたアップデート領域を迅速、かつ容易に決定できる。
【発明を実施するための最良の形態】
【００２２】
以下、添付された図面を参照しつつ、本発明の一実施例を詳細に説明する。
【００２３】
図１Ａ及び図１Ｂは、本発明の一実施例による追記型ディスクの構造を表す図であり、図１Ａは、単一記録層追記型ディスクの構造を表す図であり、図１Ｂは、二重記録層追記型ディスクの構造を表す図である。
【００２４】
図１Ａに図示された単一記録層追記型ディスクは、内周から外周方向に、リードイン領域、データ領域及びリードアウト領域が順次に設けられる。
【００２５】
図１Ｂに図示された二重記録層追記型ディスクの最初の記録層Ｌ０、及び二番目の記録層Ｌ１には、内周から外周方向に、内側領域１と内側領域２とにリードイン領域、データ領域１とデータ領域２、及び外側領域１と外側領域２とにリードアウト領域が順次に設けられる。しかし、追加的な記録層がさらに使用され、かかる記録層のうち、いずれも一回記録、再生専用、または書き換え可能であり、多様な記録密度を有することができる。
【００２６】
図２は本発明の一実施例による単一記録層追記型ディスクのさらに詳細な構造を表す図である。図２を参照するに、リードイン領域には、第１ディスク管理領域（ＤＭＡ１：Ｄｉｓｃ  Ｍａｎａｇｅｍｅｎｔ  Ａｒｅａ１）、第２ディスク管理領域（ＤＭＡ２：Ｄｉｓｃ  Ｍａｎａｇｅｍｅｎｔ  Ａｒｅａ２）、第１臨時ディスク管理領域（ＴＤＭＡ１：Ｔｅｍｐｏｒａｒｙ  Ｄｉｓｃ  Ｍａｎａｇｅｍｅｎｔ  Ａｒｅａ１）、アクセス情報領域（ＡＩＡ：Ａｃｃｅｓｓ  Ｉｎｆｏｒｍａｔｉｏｎ  Ａｒｅａ）及び記録条件テスト領域（Ｒｅｃｏｒｄｉｎｇ  Ｃｏｎｄｉｔｉｏｎ  Ｔｅｓｔ  Ａｒｅａ）などが設けられる。リードアウト領域には、第３ディスク管理領域（ＤＭＡ３）及び第４ディスク管理領域（ＤＭＡ４）などが設けられる。さらに、リードアウト領域には、臨時欠陥管理領域、記録条件テスト領域またはアクセス情報領域のうち、少なくとも一つをさらに設けられる。すなわち、アクセス情報領域、ディスク管理領域、臨時ディスク管理領域及び記録条件テスト領域は、それぞれ、リードイン領域またはリードアウト領域のうち、少なくとも１つの領域に、少なくとも一つ存在しうる。
【００２７】
アクセス情報領域は、追記型ディスクの使用のために、記録及び／または再生装置が得なければならない欠陥管理に関する情報のアップデート情報が記録された位置を知らせるアクセス情報を記録するための領域である。アクセス情報及びアクセス情報領域については後述する。
【００２８】
データ領域には、第１スペア領域、ユーザデータ領域、第２臨時ディスク管理領域（ＴＤＭＡ２：Ｔｅｍｐｏｒａｒｙ  Ｄｉｓｃ  Ｍａｎａｇｅｍｅｎｔ  Ａｒｅａ２）及び第２スペア領域が設けられる。
【００２９】
リードイン領域に設けられたＴＤＭＡ１は、本実施例による追記型ディスクの規格によって製作時に設けられたものである。しかし、データ領域に設けられた第１スペア領域、ＴＤＭＡ２及び第２スペア領域は、追記型ディスクの初期化過程でユーザの選択によってデータ領域に割り当てられる。
【００３０】
図３Ａ及び図３Ｂは、本発明の一実施例による二重記録層追記型ディスクのさらに詳細な構造を表す図であり、図３Ａは、記録層Ｌ０の構造を表す図であり、図３Ｂは、記録層Ｌ１の構造を表す図である。図３Ａに図示された記録層Ｌ０の構造は、図２に図示された単一記録層追記型ディスクの構造と同一である。図３Ｂに図示された記録層Ｌ１の構造は、記録層Ｌ０の構造と類似しているが、第２内側領域には、アクセス情報領域が設けられておらず、第２データ領域には、臨時ディスク管理領域が二つ設けられているという点で違いがある。
【００３１】
また、本実施例による追記型ディスクは、ＴＤＭＡ１ないしＴＤＭＡ５の全てで５個のＴＤＭＡが設けられている。ＴＤＭＡ１とＴＤＭＡ２の位置及び大きさは、記録装置及び／または再生装置がすでに知っている領域である。しかし、ＴＤＭＡ３、ＴＤＭＡ４及びＴＤＭＡ５は、追記型ディスクの使用のためのディスク初期化時点で、ユーザまたは記録装置及び／または再生装置によりデータ領域に割り当てられる。そして、ＴＤＭＡ１からＴＤＭＳ（Ｔｅｍｐｏｒａｒｙ  ｄｉｓｃ  ｍａｎａｇｅｍｅｎｔ  ｓｔｒｕｃｔｕｒｅ）を記録する場合、データ領域に割り当てられたＴＤＭＡの大きさと位置情報とを含むＴＤＤＳ（Ｔｅｍｐｏｒａｒｙ  ｄｉｓｃ  ｄｅｆｉｎｉｔｉｏｎ  ｓｔｒｕｃｔｕｒｅ）がＴＤＭＡ１に記録される。
【００３２】
図４Ａ及び図４Ｂは、本発明の他の実施例による二重記録層追記型ディスクのさらに詳細な構造を表す図であり、図４Ａは、記録層Ｌ０の構造を表す図であり、図４Ｂは、記録層Ｌ１の構造を表す図である。図４Ａ及び図４Ｂに図示された二重記録層追記型ディスクには、ＴＤＭＡ１、ＴＤＭＡ２及びＴＤＭＡ５が割り当てられている。すなわち、図４Ａ及び図４Ｂに図示された二重記録層追記型ディスクは、ディスクの使用のためのディスク初期化時点で、ユーザまたは記録及び／または再生装置により、データ領域２にＴＤＭＡ５だけが割り当てられた追記型ディスクを表す。
【００３３】
以下、追記型ディスクに設けられた臨時ディスク管理領域のような各領域及び各領域にデータを記録する過程について説明する。
【００３４】
臨時ディスク管理領域（ＴＤＭＡ）は、追記型ディスクの最終化以前に、追記型ディスクの管理のための臨時管理情報（ＴＤＭＳ：Ｔｅｍｐｏｒａｒｙ  Ｄｉｓｃ  Ｍａｎａｇｅｍｅｎｔ  Ｓｔｒｕｃｔｕｒｅ）を記録するための領域である。追記型ディスクの最終化とは、追記型ディスクにそれ以上データを記録させないという動作をいう。ユーザの選択により、追記型ディスクにそれ以上データを記録しないか、または追加的にデータを記録できない場合、追記型ディスクは最終化される。
【００３５】
臨時管理情報は、臨時欠陥情報（ＴＤＦＬ：Ｔｅｍｐｏｒａｒｙ  Ｄｉｓｃ  Ｄｅｆｅｃｔ  Ｌｉｓｔ）、臨時ディスク管理情報（ＴＤＤＳ：Ｔｅｍｐｏｒａｒｙ  Ｄｉｓｃ  Ｄｅｆｉｎｉｔｉｏｎ  Ｓｔｒｕｃｔｕｒｅ）及びスペースビットマップ（ＳＢＭ：Ｓｐａｃｅ  Ｂｉｔ  Ｍａｐ）を含む。臨時欠陥情報（ＴＤＦＬ）は、欠陥が発生した領域がどこであるか知らせる情報と、新たに代替された領域がどこであるかを知らせる情報とから構成される。臨時ディスク管理情報（ＴＤＤＳ）は、臨時欠陥情報を管理するための情報であり、対応する臨時欠陥情報が記録された位置を知らせる位置ポインタ、対応するスペースビットマップが記録された位置を知らせる位置ポインタ、データ領域内に割り当てられたスペア領域の位置及び大きさ情報、データ領域内に割り当てられた臨時ディスク管理領域の位置及び大きさ情報を含む。スペースビットマップ（ＳＢＭ）は、データ記録単位であるクラスタ単位でデータが記録されたクラスタと、記録されていないクラスタとにそれぞれ異なるビット値を割り当てることにより、追記型ディスクのデータ記録状態をビットマップで表した情報である。
【００３６】
追記型ディスクが記録及び／または再生装置にローディングされれば、その装置は、ディスクの使用のために、最終的にアップデートされた臨時管理情報、特に、臨時ディスク管理情報（ＴＤＤＳ）をそのディスクから迅速に読み取って再生することが要求される。
【００３７】
通常、記録及び／または再生装置は、ディスクが装置にローディングされれば、リードイン領域及び／またはリードアウト領域にある情報を読み取り、ディスクをどのように管理し、どのように記録したり、または再生しなければならないかを把握する。リードイン領域及び／またはリードアウト領域に記録された情報の量が多ければ多くなるほど、ディスクをローディングした後、記録または再生を準備するためにかかる時間が長くなるという問題が発生する。従って、前述の臨時管理情報の概念を導入し、ディスクにデータ記録または再生中に発生した臨時管理情報を欠陥管理領域と別途にリードイン領域及び／またはリードアウト領域に設けられた臨時ディスク管理領域に記録しておく。
【００３８】
追記型ディスクを最終化する場合、それまで臨時ディスク管理領域に記録された臨時管理情報、すなわち、臨時欠陥情報及び臨時ディスク管理情報を最終的にディスク管理領域（ＤＭＡ）に記録する。これは、ディスクを最終化する場合、何回か更新されて記録された臨時欠陥情報及び臨時ディスク管理情報のうち、最終的に有意味の情報だけをディスク管理領域に移すことにより、記録または再生装置に今後欠陥管理領域から最終的に有意味の情報だけを読み取らせ、さらに早く追記型ディスクの使用のための情報アクセスが可能であるという長所があるためである。
【００３９】
図５は、本発明の一実施例により、ユーザデータ領域とスペア領域とにデータが記録される過程を説明するための図である。かかる本発明は、単一記録層及び二重記録層の追記型ディスクにいずれも利用可能である。
【００４０】
図５を参照するに、Ａは、ユーザデータ領域を意味し、Ｂは、スペア領域を意味する。ユーザデータ領域にユーザデータを記録する方式は、連続記録モード（ｃｏｎｔｉｎｕｏｕｓ  ｒｅｃｏｒｄｉｎｇ  ｍｏｄｅ）またはランダム記録モード（ｒａｎｄｏｍ  ｒｅｃｏｒｄｉｎｇ  ｍｏｄｅ）による。連続記録モードは、ユーザデータを順次に連続的に記録するものであり、ランダム記録モードは、必ずしも連続的に記録するものではなく、ランダムに記録するものをいう。５０１ないし５０７は、それぞれ記録後検証（Ｖｅｒｉｆｙ  ａｆｔｅｒ  ｗｒｉｔｅ）オペレーションが行われる単位を指す。
【００４１】
記録装置は、ユーザデータを区間５０１ほど記録した後、区間５０１の最初の部分に戻り、データが正しく記録されているか、あるいは欠陥が発生しているかを確認する。欠陥が発生した部分が発見されれば、その部分を欠陥（Ｄｅｆｅｃｔ）領域と指定する。これにより、欠陥領域の欠陥＃１が指定される。また、記録装置は、欠陥＃１に記録されたデータをスペア領域にさらに記録する。欠陥＃１に記録されたデータが書き換えられた部分は、代替（Ｓｕｂｓｔｉｔｕｔｅ）＃１という。次に、記録装置は、区間５０２ほどユーザデータを記録した後、再び区間５０２の最初の部分に戻り、データが正しく記録されているか、あるいは欠陥が発生しているかを確認する。欠陥が発生した部分が発見されれば、その部分は、欠陥＃２と指定される。同じ方式で、欠陥＃２に対応する代替＃２が生成される。さらに、区間５０３で欠陥領域の欠陥＃３と代替＃３とが生成される。区間５０４では、欠陥が発生した部分が発見されずに欠陥領域が存在しない。
【００４２】
区間５０４まで記録して検証した後、記録オペレーション＃１の終了が予測されれば（ユーザがイジェクトボタンを押すか、または記録オペレーションに割り当てられたユーザデータ記録が完了すれば）、記録装置は、臨時欠陥情報＃１として、区間５０１ないし５０４までで発生した欠陥領域の欠陥＃１、＃２、＃３に関する情報を臨時ディスク管理領域に記録する。また、臨時欠陥情報＃１を管理するための管理情報を臨時ディスク管理情報＃１として臨時ディスク管理領域に記録する。本実施例で、記録オペレーションというのは、ユーザの意思、行おうとする記録オペレーションなどにより決定されるオペレーション単位であり、本実施例では、追記型ディスクが記録装置にローディングされて所定情報の記録オペレーションが行われた後、追記型ディスクが記録装置からアンローディングされるまでを指す。しかし、オペレーション単位は、時間区間のような他の方法で定義されることもある。
【００４３】
さらに再び追記型ディスクがローディングされれば、記録オペレーション＃２が始まり、記録条件テスト領域に記録条件をテストし、その結果を基にデータが記録される。すなわち、記録オペレーション＃２では、区間５０５ないし５０７まで前述の記録オペレーション＃１の場合と同じ方式でデータが記録され、欠陥＃４、＃５及び代替＃４、＃５が生成される。記録オペレーション＃２が終了すれば、記録装置は、臨時欠陥情報＃２として、欠陥＃４及び＃５に関する情報を記録する。また、臨時欠陥情報＃２を管理するための欠陥管理情報＃２として臨時ディスク管理領域に記録する。
【００４４】
図２、図３Ａ、図３Ｂ、図４Ａ及び図４Ｂに図示したように、追記型ディスクに臨時ディスク管理領域及びスペア領域が多数設けられた場合、所定順序によって臨時ディスク管理領域、またはスペア領域が使われる。例えば、図３Ａ及び図３Ｂに図示された二重記録層ディスクに適用されるデータ記録経路が、記録層Ｌ０の第１内側領域から第１外側領域に、次に、記録層Ｌ１の第２外側領域から記録層Ｌ１の第２内側領域にデータを記録するＯＴＰ（Ｏｐｐｏｓｉｔｅ  Ｔｒａｃｋ  Ｐａｔｈ）である場合、スペア領域は、記録層Ｌ０のスペア領域１からデータが記録される。スペア領域１が全て使われれば、次に、スペア領域２、３及び４の順序で使われる。
【００４５】
同様に、臨時管理情報は、記録層Ｌ０のＴＤＭＡ１から記録される。ＴＤＭＡ１が全て使われれば、記録層Ｌ１の第２内側領域に設けられたＴＤＭＡ２にアップデートしなければならない臨時管理情報を記録する。ＴＤＭＡ２も全て使われれば、記録層Ｌ０の第１データ領域に設けられたＴＤＭＡ３にアップデートしなければならない臨時管理情報を記録する。本実施例で、各記録層の内側領域に設けられたＴＤＭＡ１及びＴＤＭＡ２は、本実施例による追記型ディスクに必須的に設けられる。しかし、データ領域に設けられたＴＤＭＡは、ユーザの選択によって割り当てられることもあり、または割り当てられないこともある領域である。従って、臨時管理情報は、各記録層の内側領域に設けられたＴＤＭＡから記録される。各記録層の内側領域に設けられたＴＤＭＡがすべてデータが記録されれば、データ領域に割り当てられたＴＤＭＡが使われる。本発明の他の側面では、内側領域に割り当てられたＴＤＭＡは、必須的ではないこともある。
【００４６】
最終的にアップデートされた臨時管理情報がデータ領域に割り当てられたＴＤＭＡに記録され、追記型ディスクが記録及び／または再生装置からアンローディングされた後、再びそのディスクが記録及び／または再生装置にローディングされる場合、記録及び／または再生装置は、ディスクの使用のために最終的にアップデートされた臨時管理情報を得なければならない。しかし、臨時管理情報は、データ領域に割り当てられたＴＤＭＡに記録されており、記録及び／または再生装置は、臨時管理情報中の臨時ディスク管理情報（ＴＤＤＳ）にアクセスするまでは、データ領域にＴＤＭＡが割り当てられているということを知ることができないという問題が生まれる。また、記録及び／または再生装置がデータ領域に割り当てられたＴＤＭＡに最終的にアップデートされた臨時管理情報が記録されたということを知っていても、そのＴＤＭＡの大きさが大きいならば、そのＴＤＭＡに記録された最終的な臨時管理情報を探索するのに、長時間がかかるという問題が発生することもある。
【００４７】
従って、本発明はかかる問題を解決するために、次のような三種の実施例を提示する。本実施例で、アクセス情報は、臨時管理情報、特に、臨時ディスク管理情報（ＴＤＤＳ）のようなアップデート情報が記録された位置を知らせる情報をいう。また、アップデート情報というのは、追記型ディスクが記録及び／または再生装置にローディングされた初期に、追記型ディスクの使用のために記録及び／または再生装置が認識しなければならない情報をいう。そして、アップデート情報が記録される領域をアップデート領域という。本実施例で、アップデート情報は、臨時ディスク管理情報（ＴＤＤＳ）を、アップデート領域は、ＴＤＭＡの場合を例に挙げて説明する。
【００４８】
（第１実施例）
本発明の第１実施例では、メインアクセス情報を記録するためのメインアクセス情報領域（Ｍａｉｎ  Ａｃｃｅｓｓ  Ｉｎｆｏｒｍａｔｉｏｎ  Ａｒｅａ、以下、「メインＡＩＡ」という）を追記型ディスクのリードイン領域または内側領域に少なくとも一つ設け、ＴＤＭＡに補助アクセス情報領域（Ｓｕｂ  Ａｃｃｅｓｓ  Ｉｎｆｏｒｍａｔｉｏｎ  Ａｒｅａ、以下、「サブＡＩＡ」という）を割り当てる。
【００４９】
記録及び／または再生装置は、本実施例による追記型ディスクがローディングされれば、まず、メインＡＩＡにアクセスしてメインアクセス情報を得る。記録及び／または再生装置は、メインアクセス情報から、最終的にアップデートされた臨時ディスク管理情報（ＴＤＤＳ）が記録されたＴＤＭＡを知った後、そのＴＤＭＡのサブＡＩＡにアクセスして補助アクセス情報を得る。記録及び／または再生装置は、補助アクセス情報からＴＤＭＡのどの部分に最終的にアップデートされた臨時ディスク管理情報（ＴＤＤＳ）が記録されているかを知ることができ、ＴＤＭＡで最終的にアップデートされた臨時ディスク管理情報（ＴＤＤＳ）を探索するのにかかる時間を短縮させることができる。
【００５０】
図２、図３Ａ及び図４Ａに図示したような追記型ディスクに設けられたアクセス情報領域は、本実施例によるメインＡＩＡとなる。メインＡＩＡに記録されるアクセス情報の量及びアップデート回数は最小化し、メインＡＩＡの大きさを制限することが望ましい。メインＡＩＡの大きさが大きくなったり、または多数のメインＡＩＡを割り当てるならば、アクセス情報を得るのにかかる時間が長くなるためである。メインアクセス情報のアップデート回数を最小化するために、最終的なＴＤＤＳが記録されているＴＤＭＡが変わるとき、メインアクセス情報をメインＡＩＡの１つの記録単位ブロックに記録する。
【００５１】
図６は、臨時ディスク管理情報（ＴＤＤＳ）のデータ構造を表す図である。本実施例で、別途のメインアクセス情報のデータ構造を定義せずに、ＴＤＤＳをメインアクセス情報として利用する。前述の通り、ＴＤＤＳは、追記型ディスクに設けられたＴＤＭＡの位置情報（Ｌｏｃａｔｉｏｎ  ｉｎｆｏｒｍａｔｉｏｎ）を含む。図３Ａ及び図３Ｂに図示したように、追記型ディスクにＴＤＭＡ１ないしＴＤＭＡ５が割り当てられた場合、ＴＤＤＳは、ＴＤＭＡ１ないしＴＤＭＡ５の位置情報を含む。
【００５２】
本実施例で、記録及び／または再生装置は、メインＡＩＡにＴＤＤＳが記録された記録単位ブロックの個数から最終的なＴＤＤＳが記録されたＴＤＭＡを知ることができる。追記型ディスクにＴＤＭＡ１ないしＴＤＭＡ５が割り当てられ、ＴＤＭＡ１、ＴＤＭＡ２、ＴＤＭＡ３、ＴＤＭＡ４及びＴＤＭＡ５の順序によって使われる場合を例にとり、さらに詳細に説明する。まず、メインＡＩＡにメインアクセス情報のＴＤＤＳが全く記録されていないならば、記録及び／または再生装置は、最初のＴＤＭＡであるＴＤＭＡ１に最終的なＴＤＤＳが記録されていると認識する。
【００５３】
もし、メインＡＩＡの最初のブロックだけＴＤＤＳが記録されているならば、記録及び／または再生装置は、二番目のＴＤＭＡのＴＤＭＡ２に最終的なＴＤＤＳが記録されていると認識する。メインＡＩＡの最初及び二番目のブロックにＴＤＤＳが記録されているならば、記録及び／または再生装置は、三番目のＴＤＭＡのＴＤＭＡ３に最終的なＴＤＤＳが記録されていると認識する。同様に、メインＡＩＡの最初から三番目のブロックまでＴＤＤＳが記録されているならば、ＴＤＭＡ４に、最初から四番目のブロックまでＴＤＤＳが記録されているならば、ＴＤＭＡ５に最終的なＴＤＤＳが記録されていると記録及び／または再生装置は認識する。
【００５４】
前述の通り、記録及び／または再生装置がメインＡＩＡにＴＤＤＳが記録された記録単位ブロックの個数から最終的なＴＤＤＳが記録されたＴＤＭＡを識別した後、メインＡＩＡに最終的に記録されたＴＤＤＳを再生し、そのＴＤＤＳからＴＤＭＡについての位置情報を知ることができる。
【００５５】
本実施例によれば、メインＡＩＡの大きさは、追記型ディスクに設けられたＴＤＭＡの個数によって決定される。すなわち、追記型ディスクにＮ個のＴＤＭＡが存在する場合、メインＡＩＡは、少なくとも（Ｎ−１）個の記録単位ブロックを含む。
【００５６】
以下では、サブ（Ｓｕｂ）ＡＩＡ及び補助アクセス情報について説明する。サブＡＩＡは、それぞれのＴＤＭＡの最初のブロックから割り当てられてその大きさは、サブＡＩＡが属するＴＤＭＡがいくつのサブ領域に分割されているかによって決定される。
【００５７】
図７は、サブＡＩＡと複数のサブ領域とに分割されたＴＤＭＡの一例を表す図である。メインＡＩＡの場合と同様に、補助アクセス情報としてはＴＤＤＳを利用し、記録及び／または再生装置がサブＡＩＡにＴＤＤＳが記録された記録単位ブロックの個数から最終的なＴＤＤＳが記録されたＴＤＭＡ内のサブ領域を識別する。
【００５８】
図７に図示したように、ＴＤＭＡがサブＴＤＭＡ１ないしサブＴＤＭＡ  Ｍに分割され、サブＴＤＭＡ１からサブＴＤＭＡ Ｍ側に順次にサブ領域が使われる場合において、サブＡＩＡにＴＤＤＳが全く記録されていないならば、記録及び／または再生装置は、最初のサブＴＤＭＡのサブＴＤＭＡ１に最終的なＴＤＤＳが記録されていると認識する。
【００５９】
サブＡＩＡの最初のブロックだけにＴＤＤＳが記録されているならば、記録及び／または再生装置は、サブＴＤＭＡ２に最終的なＴＤＤＳが記録されていると認識する。サブＡＩＡの最初及び二番目のブロックにＴＤＤＳが記録されているならば、記録及び／または再生装置は、三番目のサブＴＤＭＡであるサブＴＤＭＡ３に最終的なＴＤＤＳが記録されていると認識する。本実施例によれば、各ＴＤＭＡに設けられたサブＡＩＡの大きさは、ＴＤＭＡ内に含まれたサブ領域の個数によって決定される。すなわち、Ｍ個のサブ領域がＴＤＭＡに存在する場合、サブＡＩＡは、少なくとも（Ｍ−１）個の記録単位ブロックを含んでいなければならない。
【００６０】
図８は、本発明の一実施例によるメインＡＩＡとサブＡＩＡとを表す図である。本実施例による追記型ディスクは、図４Ａ及び４Ｂに図示したように、ディスク使用のための初期化時、データ領域内のＴＤＭＡ５だけが割り当てられたディスクである。メインＡＩＡは、４個の記録単位ブロック（Ｂｌｏｃｋ）を有する。本実施例で、ＴＤＭＡ５は、３５，０００個のブロックサイズを有し、４，０００個のブロック単位に分割され、総９個のサブ領域（すなわち、それぞれ４，０００ブロックからなる８個のサブ領域及び３，０００ブロックからなる１個のサブ領域）を有する。従って、前述の通り、サブＡＩＡは、８個の記録単位ブロック（すなわち、Ｍ−１、Ｍは９）を有する。しかし、ＴＤＭＡ、記録単位ブロック、サブ領域の他の個数が利用されることもある。
【００６１】
本実施例による追記型ディスクの初期化時及びＴＤＭＡ１が使われる時には、メインアクセス情報がメインＡＩＡに記録されていない。その後、最終的なＴＤＤＳが記録される位置がＴＤＭＡ２に変更されれば、記録及び／または再生装置は、メインＡＩＡの最初のブロックにＴＤＤＳを記録し、最終的なＴＤＤＳがＴＤＭＡ２に記録されているということを表す。
【００６２】
その後、最終的なＴＤＤＳが記録される位置がＴＤＭＡ５に変更されれば、記録及び／または再生装置は、メインＡＩＡの二番目、三番目及び四番目のブロックにＴＤＤＳを記録し、最終的なＴＤＤＳがＴＤＭＡ５の最初のサブ領域に記録されているということを表す。
【００６３】
図９Ａ及び図９Ｂは、本発明の他の実施例によるサブＡＩＡを表す図である。本実施例による追記型ディスクは、図３Ａ及び３Ｂに図示したように、ディスク使用のための初期化時、データ領域にＴＤＭＡ３ないしＴＤＭＡ５が割り当てられたディスクである。従って、前述の通り、ＴＤＭＡが５個割り当てられているので、メインＡＩＡは、４個の記録単位ブロックを有する。本実施例で、ＴＤＭＡ３及びＴＤＭＡ４は、１６，０００個のブロックサイズを有し、ＴＤＭＡ５は、図８に図示したように、３５，０００個のブロックサイズを有する。
【００６４】
図９Ａは、ＴＤＭＡ３の構造を表す図であり、図９Ｂは、ＴＤＭＡ４の構造を表す図である。本実施例によるＴＤＭＡ３は、４個のサブ領域を備える。従って、ＴＤＭＡ３に備えられたサブＡＩＡは、３個の記録単位ブロックを有する大きさを有する。ＴＤＭＡ４も同一なので、ＴＤＭＡ４に備えられたサブＡＩＡもまた、３個の記録単位ブロックを有する大きさを有する。
【００６５】
ＴＤＭＡ５は、４，０００個の記録単位ブロック単位に分割され、総９個のサブ領域を備える。従って、前述の通り、サブＡＩＡは、８個の記録単位ブロックを有する。記録ブロックの他の単位が４，０００の代わりに利用されることもある。
【００６６】
前述の通り、本発明の第１実施例により、メインＡＩＡにメインアクセス情報を記録してサブＡＩＡにサブアクセス情報を記録することにより、記録及び／または再生装置は、最終的なＴＤＤＳが記録された位置によってさらにアクセスすることができる。
【００６７】
記録及び／または再生装置が本実施例によるメインアクセス情報及びサブアクセス情報から最終的なＴＤＤＳが記録された位置によってアクセスする動作についてさらに詳細に説明する。
【００６８】
本実施例により、メインアクセス情報及びサブアクセス情報が記録された追記型ディスクが記録及び／または再生装置にローディングされれば、該装置は、メインＡＩＡにアクセスする。もし、メインＡＩＡに情報が全く記録されていないならば、該装置は、最終的なＴＤＤＳがＴＤＭＡ１に記録されているか、または空ディスクであると判断した後、ＴＤＭＡ１にアクセスする。ＴＤＭＡ１に何らのデータも記録されていないならば、空ディスクと認識をし、ディスク使用のための初期化を進める。そうではないならば、ＴＤＭＡ１で最終的なＴＤＤＳを得る。
【００６９】
記録及び／または再生装置は、メインＡＩＡにデータが記録されているならば、最後に記録されたブロックにアクセスしてＴＤＤＳを再生する。記録及び／または再生装置は、最後に記録されたブロックが何番目のブロックであるかを把握し、最終的なＴＤＤＳがどのＴＤＭＡに記録されているかを把握する。また、再生されたＴＤＤＳから最終的なＴＤＤＳが記録されたＴＤＭＡの大きさを知り、その大きさ情報からそのＴＤＭＡにサブＡＩＡが割り当てられているかということと、割り当てられているとすれば、そのサブＡＩＡの大きさを知ることができる。最終的なＴＤＤＳが記録されたＴＤＭＡにサブＡＩＡが割り当てられていないならば、そのＴＤＭＡから最終的なＴＤＤＳを探す。
【００７０】
しかし、サブＡＩＡが割り当てられているならば、サブＡＩＡにアクセスをし、何番目のブロックまでデータが記録されているかを把握し、最終的なＴＤＤＳが記録されたＴＤＭＡの何番目のサブ領域に最終的なＴＤＤＳが記録されているかを知りだす。
【００７１】
（第２実施例）
本発明の第２実施例では、第１実施例とは異なり、サブＡＩＡを割り当てずにアクセス情報を記録するためのアクセス情報領域を追記型ディスクのリードイン領域または内側領域に少なくとも一つ設ける。
【００７２】
図１０は、本発明の一実施例によるアクセス情報のデータ構造を表す図である。本実施例によるアクセス情報は、ＴＤＤＳのデータ構造を利用する。しかし、本実施例によるＴＤＤＳには、最終的なＴＤＤＳが記録されたＴＤＭＡの位置情報を表すフラッグ（Ｆｌａｇ  ｉｎｄｉｃａｔｉｎｇ  ＴＤＭＡ  ｉｎ  ｗｈｉｃｈ  ｆｉｎａｌ  ＴＤＤＳ  ｉｓ  ｒｅｃｏｒｄｅｄ）がさらに備えられる。
【００７３】
本実施例で、前記フラッグは、最終的なＴＤＤＳが記録されたＴＤＭＡを表す第１フラッグ情報（Ｆｉｒｓｔ  ｆｌａｇ  ｉｎｆｏｒｍａｔｉｏｎ）と、第１フラッグ情報が表すＴＤＭＡのどの部分に最終的なＴＤＤＳが記録されているかを表す第２フラッグ情報（Ｓｅｃｏｎｄ  ｆｌａｇ  ｉｎｆｏｒｍａｔｉｏｎ）とを含む。
【００７４】
本実施例による第１フラッグ情報は、ｂ４ないしｂ７の４ビットからなる。例えば、ｂ４ないしｂ７が「００００ｂ」ならばＴＤＭＡ１に、「０００１ｂ」ならばＴＤＭＡ２に、「００１０ｂ」ならばＴＤＭＡ３に、「０１００ｂ」ならばＴＤＭＡ４に、そして「１０００ｂ」ならばＴＤＭＡ５に、最終的なＴＤＤＳが記録されているということを表すと定義できる。
【００７５】
本実施例による第２フラッグ情報は、ｂ０ないしｂ３の４ビットからなる。第１フラッグ情報がＴＤＭＡ５を指し、ＴＤＭＡ５が５個のサブ領域に分割された場合を例に挙げて第２フラッグ情報を説明する。ｂ０ないしｂ３が「００００ｂ」ならば最初のサブ領域に、「０００１ｂ」ならば二番目のサブ領域に、「００１０ｂ」ならば三番目のサブ領域に、「０１００ｂ」ならば四番目のサブ領域に、そして「１０００ｂ」ならば五番目のサブ領域に、最終的なＴＤＤＳが記録されているということを表すと定義できる。
【００７６】
（第３実施例）
本実施例は、前述の本発明の第１実施例と類似している。ただし、本実施例では、サブアクセス情報を追記型ディスクに記録しないという点で第１実施例と違いがある。よって、本実施例では、ＴＤＭＡにサブＡＩＡを割り当てず、第１実施例でのメインアクセス情報及びメインアクセス情報領域は、それぞれアクセス情報及びアクセス情報領域として表現される。
【００７７】
本実施例による追記型ディスクがローディングされた記録及び再生装置は、ユーザデータをデータ領域に記録し、臨時ディスク管理情報（ＴＤＤＳ）を複数のＴＤＭＡのうち１つのＴＤＭＡに記録する。もし、以前のＴＤＤＳが記録されたＴＤＭＡがデータでもって全ていっぱいになり、新たにアップデートされたＴＤＤＳを記録できなければ、使用順序により、複数のＴＤＭＡのうちの１つのＴＤＭＡに前記新たにアップデートされたＴＤＤＳを記録する。そして、前記新たにアップデートされたＴＤＤＳをアクセス情報としてアクセス情報領域の１つの記録ブロックに記録する。
【００７８】
本実施例による追記型ディスクがローディングされた再生装置は、アクセス情報領域にアクセスし、アクセス情報が記録された記録ブロックの個数に基づき、複数のＴＤＭＡのうち最終的にアップデートされたＴＤＤＳが記録された最終ＴＤＭＡを決定する。その後、最終ＴＤＭＡに最後に記録された記録ブロックから最終的にアップデートされたアクセス情報を得る。前記最終的にアップデートされたアクセス情報から最終的にアップデートされたＴＤＤＳが記録された最終ＴＤＭＡの位置情報を得る。最後に、前記最終ＴＤＭＡから最終的にアップデートされたＴＤＤＳを得る。アクセス情報領域にアクセス情報として記録されたＴＤＤＳは、アップデートされたＴＤＤＳを記録するＴＤＭＡが変更される場合だけアクセス情報領域に記録されるために、ＴＤＭＡに最終的にアップデートされたＴＤＤＳと異なることがある。
【００７９】
図１１は、本発明の一実施例によるデータ記録及び／または再生装置のブロック図である。図１１を参照するに、記録及び再生装置は、記録／読み出し部１、制御部２及びメモリ部３を備える。記録／読み出し部１は、制御部２の制御によって追記型ディスク１００にデータを記録し、追記型ディスク１００に記録されたデータを読み出す。追記型ディスク１００は、前述の通り、本発明の第１実施例ないし第３実施例による追記型ディスクである。
【００８０】
制御部２は、前述のような本発明によるメインアクセス情報、補助アクセス情報またはアクセス情報を追記型ディスク１００に記録するように、記録／読み出し部１を制御する。また、追記型ディスク１００を再生する場合、追記型ディスク１００がローディングされれば、前述の第１実施例ないし第３実施例によるメインアクセス情報領域、補助アクセス情報領域またはアクセス情報領域に記録された情報から、最終的に追記型ディスク１００にアップデートされたＴＤＤＳを得る。
【００８１】
再生専用装置による本発明による追記型ディスク１００の再生動作について説明する。別途の図に図示されてはいないが、本発明による再生装置は、図１１に図示したような記録及び再生装置と類似の構造を有する。ただし、再生装置であるから、記録／読み出し部１の代わりに読み出し部を備える。再生装置の読み出し部は、再生装置の制御部の制御により、本発明による追記型ディスク１００に記録されたデータを読み出す。追記型ディスク１００は、前述の通り、本発明の第１実施例ないし第３実施例による追記型ディスクである。
【００８２】
追記型ディスク１００が再生装置にローディングされれば、再生装置の制御部は、前述のメインアクセス情報領域、補助アクセス情報領域またはアクセス情報領域に記録された情報から、最終的に追記型ディスク１００にアップデートされたＴＤＤＳを得る。
【００８３】
本発明の技術分野で当業者ならば、前述の本発明の第１実施例及び第２実施例の説明から、本発明による記録及び再生装置と本発明による再生専用装置との動作を容易に理解することができるであろう。
【００８４】
これまで本発明についてその望ましい実施例を中心に説明した。本発明が属する技術分野で当業者は、本発明が本発明の本質的な特性から外れない範囲で変形された形態に具現できるということを理解することができるであろう。本発明の範囲は、前述の説明でなく、特許請求の範囲に示されており、それと同等な範囲内にあるあらゆる差異点は、本発明に含まれたものと解釈されねばならない。
【図面の簡単な説明】
【００８５】
【図１Ａ】本発明の一実施例による追記型ディスクの構造を表す図である。
【図１Ｂ】本発明の一実施例による追記型ディスクの構造を表す図である。
【図２】本発明の一実施例による単一記録層追記型ディスクのさらに詳細な構造を表す図である。
【図３Ａ】本発明の一実施例による二重記録層追記型ディスクのさらに詳細な構造を表す図である。
【図３Ｂ】本発明の一実施例による二重記録層追記型ディスクのさらに詳細な構造を表す図である。
【図４Ａ】本発明の他の実施例による二重記録層追記型ディスクのさらに詳細な構造を表す図である。
【図４Ｂ】本発明の他の実施例による二重記録層追記型ディスクのさらに詳細な構造を表す図である。
【図５】本発明の一実施例により、ユーザデータ領域とスペア領域とにデータが記録される過程を説明するための図である。
【図６】本発明の第１実施例による臨時ディスク管理情報のデータ構造を表す図である。
【図７】サブＡＩＡと複数のサブ領域とに分割されたＴＤＭＡの一例を表す図である。
【図８】本発明の一実施例によるメインＡＩＡとサブＡＩＡとを表す図である。
【図９Ａ】本発明の他の実施例によるサブＡＩＡを表す図である。
【図９Ｂ】本発明の他の実施例によるサブＡＩＡを表す図である。
【図１０】本発明の一実施例によるアクセス情報のデータ構造を表す図である。
【図１１】本発明の一実施例によるデータ記録／再生装置のブロック図である。
【符号の説明】
【００８６】
１      記録／読み出し部
２      制御部
３      メモリ
１００  追記型ディスク
【図１Ａ】
2008171550.tif 000003
【図１Ｂ】
2008171550.tif 000004
【図２】
2008171550.tif 000005
【図３Ａ】
2008171550.tif 000006
【図３Ｂ】
2008171550.tif 000007
【図４Ａ】
2008171550.tif 000008
【図４Ｂ】
2008171550.tif 000009
【図５】
2008171550.tif 000010
【図６】
2008171550.tif 000011
【図７】
2008171550.tif 000012
【図８】
2008171550.tif 000013
【図９Ａ】
2008171550.tif 000014
【図９Ｂ】
2008171550.tif 000015
【図１０】
2008171550.tif 000016
【図１１】
2008171550.tif 000017